【手続補正書】
【提出日】令和3年10月14日(2021.10.14)
【手続補正１】
【補正対象書類名】特許請求の範囲
【補正対象項目名】全文
【補正方法】変更
【補正の内容】
【特許請求の範囲】
【請求項１】
下側織物層（ＵＧ）、上側織物層（ＯＧ）及びこれらの間に配置された中間織物層（ＭＧ）の少なくとも３つの製織織物層に製織されている経糸及び緯糸を有するＯＰＷエアバッグであって、
ａ）該ＯＰＷエアバッグは、縦軸（ＬＡ）に沿って配置された、前方部分（ＶＡ）、中間部分（ＭＡ）及び後方部分（ＨＡ）を有すること、
ｂ）前記前方部分（ＶＡ）には、発生器（Ｇ）を受容するための発生器取付口部（ＧＥＭ）と、これに続く流入領域（ＥＳＢ）が設けられていること、
ｃ）前記中間部分（ＭＡ）には、上部主室（ＯＫ）と下部主室（ＵＫ）が設けられていること、
ｄ）前記後方部分（ＨＡ）には、前記中間織物層（ＭＧ）と前記下側織物層（ＵＧ）の間に、前記縦軸（ＬＡ）に沿ってかつ該縦軸（ＬＡ）に対し横方向に延伸する第１数（ＥＶＺ）の下部補強室（ＵＱＶＫ）が設けられていること、
ｅ）前記後方部分（ＨＡ）には、前記中間織物層（ＭＧ）と前記上側織物層（ＯＧ）の間に、前記縦軸（ＬＡ）に対し横方向に延伸する第２数（ＺＶＺ）の上部補強室（ＯＱＶＫ）が設けられていること、
ｆ）夫々１つの下部補強室（ＵＱＶＫ）には、当該下部補強室（ＵＱＶＫ）と比べてより細い少なくとも１つの上部補強室（ＯＱＶＫ）が割り当てられていること、
ｇ）前記下部補強室（ＵＱＶＫ）は夫々下部織成シーム（ＵＷＮ）によって互いに離隔されていること、
ｈ）前記中間織物層（ＭＧ）と前記上側織物層（ＯＧ）の間には、前記下部織成シーム（ＵＷＮ）を覆うブリッジ室（ＢＫ）が設けられていること
を特徴とする、ＯＰＷエアバッグ。
【請求項２】
請求項１に記載のＯＰＷエアバッグにおいて、
１つの下部補強室（ＵＱＶＫ）には夫々３つの上部補強室（ＯＱＶＫ）が割り当てられていること
を特徴とする、ＯＰＷエアバッグ。
【請求項３】
請求項１又は２に記載のＯＰＷエアバッグにおいて、
前記縦軸（ＬＡ）に沿ってかつ該縦軸（ＬＡ）に対し横方向に延伸する第１数（ＥＶＺ）の下部補強室（ＵＱＶＫ）と前記縦軸（ＬＡ）に対し横方向に延伸する第２数（ＺＶＺ）の上部補強室（ＯＱＶＫ）に加えて、更なる第１数及び第２数の補強室（ＵＱＶＫ、ＯＱＶＫ）が該縦軸（ＬＡ）に沿って設けられていること
を特徴とする、ＯＰＷエアバッグ。
【請求項４】
請求項１〜３の何れかに記載のＯＰＷエアバッグにおいて、
前記中間部分（ＭＡ）には、前記中間織物層（ＭＧ）と前記上側織物層（ＯＧ）の間及び／又は前記中間織物層（ＭＧ）と前記下側織物層（ＵＧ）の間の選択された領域において、前記縦軸（ＬＡ）に対し横方向に及び／又は平行に延伸するＸテザー列（ＸＴＫ）が設けられていること
を特徴とする、ＯＰＷエアバッグ。
【請求項５】
請求項１〜４の何れかに記載のＯＰＷエアバッグにおいて、
前記中間部分（ＭＡ）には、前記中間織物層（ＭＧ）と前記上側織物層（ＯＧ）の間に、前記縦軸（ＬＡ）の方向に延伸する少なくとも１つの補強織成シーム（ＶＷＮ）が設けられていること
を特徴とする、ＯＰＷエアバッグ。
【請求項６】
請求項１〜５の何れかに記載のＯＰＷエアバッグにおいて、
該ＯＰＷエアバッグは、前記流入領域（ＥＳＢ）、前記補強室（ＵＱＶＫ、ＯＱＶＫ）、前記主室及び前記ブリッジ室（ＢＫ）の膨張後、前記発生器取付口部（ＧＥＭ）の上方において、円形に湾曲すること、
前記ブリッジ室（ＢＫ）は隣接する上部補強室（ＯＱＶＫ）を互いに対し離れるよう押圧し、下部織成シーム（ＵＷＮ）は蝶番のように作用すること
を特徴とする、ＯＰＷエアバッグ。
【請求項７】
請求項１〜６の何れかに記載のＯＰＷエアバッグにおいて、
該ＯＰＷエアバッグはその外周面にポリマ層を備えていること
を特徴とする、ＯＰＷエアバッグ。
【請求項８】
請求項１〜７の何れかに記載のＯＰＷエアバッグをジャカード織機で製造する方法であって、以下の工程：
ａ）上側織物層、中間織物層及び下側織物層のための経糸を提供すること
ｂ）ＯＰＷエアバッグを長尺物の形で製織すること、
ｃ）該長尺物から該ＯＰＷエアバッグを裁断すること
を含むこと
を特徴とする、方法。
【手続補正２】
【補正対象書類名】明細書
【補正対象項目名】００２８
【補正方法】変更
【補正の内容】
【００２８】
図２は、図１に示したＯＰＷエアバッグを平面図で示す。但し、下側織物層は理解の容易化のために記載が省略されている。同図では、後方部分ＨＡに、（図１において紙面上方から下方にわたり表示されている）第２数ＺＶＺの、（ここでは例示的に）３０本の細長長円で表されている上部織成シームＯＷＮを見出すことができる。これらの上部織成シームＯＷＮの領域では、中間織物層ＭＧは上側織物層ＯＧと織り合わされている。図２において紙面上方から数えて最初の３つの上部織成シームＯＷＮは夫々２つの横方向上部補強室ＯＱＶＫを包囲している（挟んでいる）。（紙面上方から数えて）３番目と４番目の上部織成シームＯＷＮは１つのブリッジ室ＢＫを包囲している（挟んでいる）。第２数ＺＶＺの紙面下方への更なる推移において、３つの横方向上部補強室ＯＱＶＫが４つの上部織成シームＯＷＮによって包囲されており（挟まれており）、そして、これらの上部織成シームＯＷＮには（紙面上方から数えて）２番目のブリッジ室ＢＫが続いている。このパターンは中間部分ＭＡに至るまで続いており―３つの横方向上部補強室ＯＱＶＫの後に夫々１つのブリッジ室ＢＫが設けられる―そして２つの横方向上部補強室ＯＱＶＫで終わる。
【手続補正３】
【補正対象書類名】明細書
【補正対象項目名】００３１
【補正方法】変更
【補正の内容】
【００３１】
図４は、図１の矢視ＩＩ−ＩＩ断面を誇張した状態で模式的に［平面図で］示す。この図では、ＯＰＷエアバッグＬＳの第１部分領域ＥＴＢに中間織物層ＭＧの自由に浮遊する（浮動する）経糸ＦＦが示されている。なお、非膨張状態にある３つの織物層は互いに密接に配置されており、浮遊する経糸ＦＦは２つの外側層ＯＧとＵＧの間で非拘束状態にあることに注意するべきである。
【手続補正４】
【補正対象書類名】明細書
【補正対象項目名】００３８
【補正方法】変更
【補正の内容】
【００３８】
図６は、膨張状態にある図５に示したＯＰＷエアバッグの後方部分ＨＡを示す。この場合、後方部分ＨＡは矢印ＫＲに応じて時計回りに内側に湾曲し（丸まり）、最も外側にある（末端の）第１室ＥＫは中間部分ＭＡの下部主室ＵＫに当接する（図６ではその寸前の状態）。ＯＰＷエアバッグの膨張時、全ての室が（エアで）充填される。その際、ブリッジ室ＢＫは（隣接する）横方向上部補強室ＯＱＶＫを互いから遠ざかるよう押圧し、これらを下部織成シームＵＷＮの周りで回転（枢動）させることによって、後方部分ＨＡ全体が矢印ＫＲに従って時計回りに内側に湾曲して（丸まって）ローラのような形状（円筒形状）を形成する。横方向上部補強室ＯＱＶＫは横方向下部補強室ＵＱＶＫよりもより短いため、これらの補強室の２つのグループは湾曲（丸まり）の形成を支援する（邪魔しない）。
【手続補正５】
【補正対象書類名】明細書
【補正対象項目名】００３９
【補正方法】変更
【補正の内容】
【００３９】
図７は、使用時における、即ち膨張状態における本発明に応じたＯＰＷエアバッグを示す。ＯＰＷエアバッグＬＳは例えばその前方部分ＶＡが乗物乗員Ｉの骨盤付近に配置され、膨張している様子が示されている。
【手続補正６】
【補正対象書類名】図面
【補正対象項目名】図１
【補正方法】変更
【補正の内容】
【図１】
2021167188.tif 000001
【手続補正７】
【補正対象書類名】図面
【補正対象項目名】図２
【補正方法】変更
【補正の内容】
【図２】
2021167188.tif 000002